(57)【要約】      （修正有）【課題】靴紐を靴の外観に表れないように処理し、安全性を高めた靴を提供する。【解決手段】足の甲を包むアッパー部２と、アッパー部２の開口を覆う舌片３とを有し、アッパー部２の開口の左右両側にそれぞれ靴紐が挿通される小孔７が複数配列されている。舌片３には、小孔７のうち足首に最も近い小孔７ａ側に入口を持ち、爪先側に向かって収容部を有する袋部Ｐが設けられ、アッパー部２の小孔７に編まれた靴紐の下側に結び目が収容される。【選択図】図１
0003163095.tif 000002
【実用新案登録請求の範囲】
【請求項１】
足の甲を包むアッパー部と、前記アッパー部に形成された開口を覆う舌片と、前記アッパー部の前記開口の左右両側にそれぞれ靴紐が挿通される複数配列された小孔とを備えた靴において、
前記舌片は、前記小孔のうち足首に最も近い小孔側に入口を持ち、爪先側に向かって収容部を有する袋部が設けられ、アッパー部の小孔に編まれた靴紐の下側に結び目を前記袋部に収容することを特徴とする靴。
【請求項２】
請求項１において、前記舌片は前葉部と後葉部からなり、前記前葉部が入口を足首に最も近い前記小孔より爪先側までの長さを持ち、前記後葉部が入口を足首に最も近い前記小孔より足首に伸びた長さを持ち、前記前葉部と前記後葉部とを靴の両側で縫合することにより、前記袋部が形成されていることを特徴とする靴。
【請求項３】
請求項１において、前記後葉部は、内側に緩衝材料が配置されていることを特徴とする靴。 
【考案の詳細な説明】
【技術分野】
【０００１】
本考案は、舌片に収納部を有する靴に関し、特に作業靴として用いるのに有効な靴に関する。
【背景技術】
【０００２】
蝶結びした靴紐が緩み次いで解けると、踏んで転んだり、作業靴では機械に巻き込まれたりして危険である。また、蝶結びした靴紐が緩まなくても、足の甲に蝶結びの結び目が突起物となる。従って紐結びの靴では、靴紐を靴に結んだ後、足首に回して紐を短くして大きな結び目とならないよう、且つ結び目の位置が上に上がるようにして固定する。従来、靴紐を処理するために舌片に靴紐の収納部を有する靴が提案されている。特許文献４及び５は、舌片に靴紐を収容するものである。また、特許文献１〜３は、舌片に小物（小銭、靴べら等）を入れる収容部をもつものである。
また、特許文献１、３、及び５は、足の甲に収容部が位置するものであり、特許文献２及び４は、足首の位置に収容部が位置するものである。
【先行技術文献】
【特許文献】
【０００３】
【特許文献１】実公昭５８−４３８５１号
【特許文献２】実開昭５６−１３７６０３号
【特許文献３】実公昭６３−７０５９号
【特許文献４】実登第３１３２７９４号
【特許文献５】実開平７−４３０３９号
【考案の開示】
【考案が解決しようとする課題】
【０００４】
従来の舌片に設けられた収容部のうち、足の甲に収容部を設けるものについては、足の甲の上が盛り上がり状となる。また、足首に収容部を設けるものについては、作業ズボンの裾を靴下の中に入れ込むという作業ズボンに対する安全対策を適用すると、収容部のところだけ足首から突出した状態となってしまう。
【０００５】
したがって、本考案の目的は、靴紐を靴の外観に表れないように処理し、安全性を高めた靴を提供することである。
【課題を解決するための手段】
【０００６】
前記目的を達成するために、本考案の靴は、足の甲を包むアッパー部と、前記アッパー部に形成された開口を覆う舌片と、前記アッパー部の前記開口の左右両側にそれぞれ靴紐が挿通される複数配列された小孔とを備えた靴において、前記舌片は、前記小孔のうち足首に最も近い小孔側に入口を持ち、爪先側に向かって収容部を有する袋部が設けられ、アッパー部の小孔に編まれた靴紐の下側に結び目を前記袋部に収容することを特徴とする。
【考案の効果】
【０００７】
本考案によれば、靴紐が靴紐を甲の上で編んだ下側に配置されるので、結び目が靴の外観に表れないという効果を有する。また、靴紐の網目と足の甲の間に靴紐の結び目が挟まれて固定されるため、抜け出ることが抑止される。また、靴紐の結び目が舌片の袋内に格納されるためにバラけにくいという効果がある。
【図面の簡単な説明】
【０００８】
【図１】靴紐を通していない状態の靴を示す斜視図である。
【図２】同靴を示す断面図である。
【図３】同靴に紐を結んで格納した状態を示す斜視図である。
【図４】靴紐の結び目を収容した状態の断面図である。
【考案を実施するための最良の形態】
【０００９】
以下、本考案の実施例の靴１について図１を用いて説明する。靴1は、足の甲を包むアッパー部２と、アッパー２に形成された開口１１をアッパー部２の内側から覆う舌片３とを備えている。開口１１は、足が挿入されるものである。アッパー部２には、開口１１の左右両側に、爪先側から足首側に向かって夫々複数の小孔7が設けられている。小孔7には、靴紐が爪先側から足首側に向かって順に挿通されて編まれてゆき、最も足首側に近い小孔７ａを挿通された段階で靴紐が結ばれる。
【００１０】
舌片３は、前葉部４と後葉部５を有しており、舌片３の両側３ａ、３ｃと元側３ｂにおいて縫合されて、前葉部４と後葉部５との間に最も足首側によった小孔７ａに近い位置に入口を持ち、爪先側に収容部を持つ袋部Ｐが形成されている。袋部Ｐは、後述するように靴紐の結び目を、アッパー部２に編まれた靴紐の下側に収容する。前葉部４は、後葉部５よりも短く、アッパー部２に設けられた小孔７のうち、最も足首側によった位置の小孔よりも爪先側の位置までの長さである。実施例の靴１においては、最も足首側の小孔７ａと、その隣の小孔７ｂとの間の地点に至る長さを有している。前葉部４には、必要に応じて輪状の係止片６が設けられる。係止片６は、靴紐を通すためのものである。後葉部５は、前葉部４よりも足首側に長く伸びており、実施例の靴１においては、最も足首側の小孔７ａよりも足首側に近い位置まで伸びている。
【００１１】
図２は、靴１の一部断面図である。舌片３は、アッパー部２に対してその元側３ｂにおいて縫合されている。舌片３の両側３ａ、３ｃは、アッパー部２には縫合されておらず、浮遊状態となっている。後葉部５は、表部５ａ、緩衝部５ｂ、裏部５ｂの３層構造を有する。表部５ａは、人工皮革等の硬質の材料、布材料、メッシュ等が利用される。緩衝部５ｂはスポンジ等の緩衝材料であり、裏部５ｃはメッシュ材や織物などの吸湿布から出来ている。
前葉部４と後葉部５の間には、靴紐を格納するための袋部Ｐが形成されている。尚、８は爪先を保護するために靴１の内側に挿入されている鉄あるいは硬質プラスチックの先芯である。
【００１２】
図３に靴紐９を収容する様子を示す。まず、靴紐９をアッパー部２の爪先側の小孔７に通す。足首側に向かって、靴紐９を順に編んでゆき、アッパー部２の最も足首側の両側の小孔７a を挿通した後、靴紐９を蝶結びにより結び目９ａを形成する（図３Ａ）。そして、結び目９ａを袋部Ｐに押し込む（図３Ｂ）。
【００１３】
図４は、結び目９ａが袋部Ｐに押し込まれた状態の靴１の断面図を示している。図において、袋部Ｐは、小孔７ａよりも爪先側にあるため、靴紐９は、足首側から爪先側に戻って、アッパー部２の編まれた靴紐９の下側（靴１の内側）に配置される。このため、結び目９ａは、図中一点破線で示した足Ｆの甲との間に挟まれた状態になる。このため、靴紐９は、編まれた靴紐９と足Ｆの甲との間に圧迫状態となり、外に抜け出ることがない。また、前葉部４と後葉部５の周囲を縫合しているため、結び目９ａがバラけたとしても一部が袋部Ｐから脱落することはない。また、後葉部５も内側に緩衝部５ｂを持つため、足の甲に対する違和感を生じさせにくいものとなっている。
【００１４】
なお、上記実施例においては、袋部Ｐの入口を小孔７ａよりも爪先側に設けたが、袋部９の入口を足首側に設けても良い。但し、結び目９ａを作る段階で締め付けるため、結び目９ａと小孔７ａの間にある靴紐の長さはおのずと長さに限界があるので、小孔７ａより足首側に設けられる入口もさほど長くはならず、結び目９ａの殆ど大部分がアッパー部２に編まれた靴紐の下側に位置することとなる。
前葉部４と後葉部５とを足首側を除いた3辺（３ａ、３ｂ、３ｃ）で縫合したが、元側３ｂの縫合は省略しても良い。
【符号の説明】
【００１５】
１：靴
２：アッパー部
３：舌片
４：前葉部
５：後葉部
７：小孔
８：先芯
９：靴紐
９ａ：結び目
１１：開口
【図１】
0003163095.tif 000003
【図２】
0003163095.tif 000004
【図３】
0003163095.tif 000005
【図４】
0003163095.tif 000006